(57)【要約】      （修正有）【課題】長尺の光源部の光軸面に対して非対称な配光特性を有する照明装置を提供する。【解決手段】照明装置40は、長尺の光源部30と光源部30用カバー板１とを具備する。カバー板１は、光源部30の長さ方向と略平行に且つ光入射面８が光源部30の光軸面Ｐに交差するように配置されるとともに光源部30からの光が透過する長尺のカバー板本体部２を備える。カバー板本体部２の光入射面３における光軸面Ｐとの交線位置Ｑよりもカバー板本体部２の幅方向の一方側にずれた位置に、光源部30からの光をカバー板本体部２の幅方向の他方側へ屈折反射させる透明プリズム板部７がカバー板本体部２の長さ方向に延びるように且つ起立状に設けられている。【選択図】図４
2019129082.tif 000002
【特許請求の範囲】
【請求項１】
長尺の光源部と、前記光源部用カバー板とを具備する照明装置であって、
前記カバー板は、前記光源部の長さ方向と略平行に且つ光入射面が前記光源部の光軸面に交差するように配置されるとともに前記光源部からの光が透過する長尺のカバー板本体部を備え、
前記カバー板本体部の前記光入射面における前記光軸面との交線位置よりも前記カバー板本体部の幅方向の一方側にずれた位置に、前記光源部からの光を前記カバー板本体部の幅方向の他方側へ屈折反射させる透明プリズム板部が前記カバー板本体部の長さ方向に延びるように且つ起立状に設けられている照明装置。
【請求項２】
被照面から離間した位置に、前記光源部が前記被照面に沿うように且つ前記光源部の前記光軸面が前記被照面と略平行になるように設置されるものであり、
前記カバー板は、前記カバー板本体部の幅方向の前記他方側が被照面近接側になるように配置される請求項１記載の照明装置。
【請求項３】
通路の側壁面を前記被照面とし、
前記通路の天井壁における前記側壁面から離間した位置に設置されるものである請求項２記載の照明装置。
【請求項４】
さらに、前記カバー板本体部の光出射面が天井壁面と略面一になるように設置されるものである請求項３記載の照明装置。
【請求項５】
前記カバー板本体部の前記光入射面に、前記カバー板本体部の光出射面から出射する出射光について前記カバー板本体部の幅方向の両側への広がりを抑制するための、前記カバー板本体部の幅方向に並んだ横断面略三角形状の複数の突条部が前記カバー板本体部の長さ方向に延びるように形成されている請求項１〜４のいずれかに記載の照明装置。
【請求項６】
前記カバー板本体部の光出射面に、前記光出射面から出射する出射光が拡散光になるように前記光源部からの光を拡散透過させる拡散透過層が形成されている請求項１〜５のいずれかに記載の照明装置。
【請求項７】
前記光源部は、照明装置の長さ方向に列状に並んだ複数のＬＥＤにより長尺に形成されたものである請求項１〜６のいずれかに記載の照明装置。
【発明の詳細な説明】
【技術分野】
【０００１】
本発明は、長尺の光源部の光軸面に対して非対称な配光特性を有する照明装置に関する。
【背景技術】
【０００２】
例えば天井壁に設置される長尺の照明装置は、一般に長尺の光源部と光源部用の長尺のカバー板とを備えている（例えば特許文献１−４参照）。このカバー板は透光性を有しており、光源部の前方近傍において照明装置の光出射口を閉塞するように配置される。カバー板の光入射面には光源部からの光の配光を制御するための様々な形状の突条部が形成されている。
【先行技術文献】
【特許文献】
【０００３】
【特許文献１】特開２０１５−９０７３５号公報
【特許文献２】特開２０１５−９０７６３号公報
【特許文献３】特開２０１５−１２５８２５号公報
【特許文献４】特開２０１５−１６２４４５号公報
【発明の概要】
【発明が解決しようとする課題】
【０００４】
而して、照明装置で天井壁側から通路（例：廊下）や室内を照明する場合、その照明方法として、鉛直な側壁面に照明装置の光の少なくとも一部を照射しその反射光を照明として利用する間接照明（半間接照明を含む）が知られている。
【０００５】
照明装置をこのような間接照明に用いる場合、照明装置の光を側壁面側に屈折させるためカバー板は光源部の光軸面に対して非対称な配光特性を有していることが望ましい。
【０００６】
本発明は、上述した技術背景に鑑みてなされたものであり、その目的は、光源部の光軸面に対して非対称な配光特性を有する照明装置を提供することにある。
【課題を解決するための手段】
【０００７】
本発明は以下の手段を提供する。
【０００８】
［１］  長尺の光源部と、前記光源部用カバー板とを具備する照明装置であって、
前記カバー板は、前記光源部の長さ方向と略平行に且つ光入射面が前記光源部の光軸面に交差するように配置されるとともに前記光源部からの光が透過する長尺のカバー板本体部を備え、
前記カバー板本体部の前記光入射面における前記光軸面との交線位置よりも前記カバー板本体部の幅方向の一方側にずれた位置に、前記光源部からの光を前記カバー板本体部の幅方向の他方側へ屈折反射させる透明プリズム板部が前記カバー板本体部の長さ方向に延びるように且つ起立状に設けられている照明装置。
【０００９】
［２］  被照面から離間した位置に、前記光源部が前記被照面に沿うように且つ前記光源部の前記光軸面が前記被照面と略平行になるように設置されるものであり、
前記カバー板は、前記カバー板本体部の幅方向の前記他方側が被照面近接側になるように配置される前項１記載の照明装置。
【００１０】
［３］  通路の側壁面を前記被照面とし、
前記通路の天井壁における前記側壁面から離間した位置に設置されるものである前項２記載の照明装置。
【００１１】
［４］  さらに、前記カバー板本体部の光出射面が天井壁面と略面一になるように設置されるものである前項３記載の照明装置。
【００１２】
［５］  前記カバー板本体部の前記光入射面に、前記カバー板本体部の光出射面から出射する出射光について前記カバー板本体部の幅方向の両側への広がりを抑制するための、前記カバー板本体部の幅方向に並んだ横断面略三角形状の複数の突条部が前記カバー板本体部の長さ方向に延びるように形成されている前項１〜４のいずれかに記載の照明装置。
【００１３】
［６］  前記カバー板本体部の光出射面に、出射光が拡散光になるように前記光源部からの光を拡散透過させる拡散透過層が形成されている前項１〜５のいずれかに記載の照明装置。
【００１４】
［７］  前記光源部は、照明装置の長さ方向に列状に並んだ複数のＬＥＤにより長尺に形成されたものである前項１〜６のいずれかに記載の照明装置。
【発明の効果】
【００１５】
本発明は以下の効果を奏する。
【００１６】
前項１では、カバー板のカバー板本体部は光源部からの光が透過するものなので、光源部からの光がカバー板本体部の光入射面に入射すると、この光はカバー板本体部を透過して光出射面から出射する。また、プリズム板部は光源部からの光をカバー板本体部の幅方向の他方側へ屈折反射させるものなので、光源部からの光がプリズム板部に入射すると、この光はカバー板本体部の幅方向の他方側へ屈折反射されてカバー板本体部を透過し光出射面から出射する。したがって、照明装置は光源部の光軸面に対して非対称な配光特性を有している。
【００１７】
前項２では、カバー板は、カバー板本体部の幅方向の他方側が被照面近接側になるように配置されるので、カバー板のカバー板本体部の光出射面からの出射光の少なくとも一部を被照面に照射しその反射光を照明として利用することができ、すなわち間接照明（半間接照明を含む）を実現できる。
【００１８】
前項３では、通路（例：廊下）の側壁面を被照面とした間接照明（半間接照明を含む）を実現できる。
【００１９】
前項４では、照明装置は、カバー板のカバー板本体部の光出射面が天井壁面と略面一になるように天井壁に設置されるものなので、照明装置が天井壁に例えば埋込み状に設置された状態において天井壁面を略平坦状にすることができる。
【００２０】
前項５では、カバー板本体部の光入射面に所定の複数の突条部が形成されているので、出射光についてカバー板本体部の幅方向の両側への広がりを抑制することができる。
【００２１】
前項６は、カバー板本体部の光出射面に拡散透過層が形成されているので、出射光の均一化を図り得るし、光源部が例えば複数のＬＥＤにより形成されている場合にはＬＥＤのつぶつぶ感やマルチシャドウを抑制・低減することができる。
【００２２】
前項７では、光源部の長寿命化、照明装置の小型化、省エネ化などを図り得る。
【図面の簡単な説明】
【００２３】
【図１】図１は、本発明の一実施形態に係る照明装置を天井壁に設置した状態を示す概略横断面図である。
【図２】図２は、同照明装置を天井壁に設置した状態を示す概略縦断面図である。
【図３】図３は、同照明装置の縦断面図である。
【図４】図４は、図３中のＸ−Ｘ線横断面図である。
【図５】図５は、同照明装置の光源部からの光の光路を説明するための、光源部及びカバー板を中心とする横断面図である。
【発明を実施するための形態】
【００２４】
次に、本発明の一実施形態について図面を参照して以下に説明する。
【００２５】
図１及び２において、符号「５０」は通路としての廊下、符号「５１」は廊下５０の鉛直な側壁、符号「５２」は廊下５０の天井壁、符号「５３」は廊下５０の床壁である。
【００２６】
天井壁５２は廊下５０の長さ方向に連続して形成されており、その天井壁面５２ａ（即ち天井壁５２の下面）は平坦状であり廊下５０の側壁面５１ａの上端に側壁面５１ａに対して垂直に且つ水平に配置されている。床壁５３は廊下５０の長さ方向に連続して形成されており、その床壁面５３ａ（即ち床壁５３の上面）は平坦状であり側壁面５１ａの下端に側壁面５１ａに対して垂直に且つ水平に配置されている。
【００２７】
本発明の一実施形態に係る照明装置４０は、図１及び２に示すように長尺のものであり、廊下５０の鉛直な側壁面５１ａに天井壁５２側から照明装置４０の光の少なくとも一部を照射しその反射光を照明として利用する間接照明（半間接照明を含む）に用いられるものである。そして、照明装置４０は、天井壁５２における側壁面５１ａから離間した近傍位置に側壁面５１ａに沿うように（例えば側壁面５１ａと平行に）複数の照明装置４０が一列に並んで且つ埋込み状に設置されるものである。
【００２８】
したがって、本実施形態では廊下５０の側壁５１の側壁面５１ａが照明装置４０による被照面Ｓとされており、廊下５０が照明装置４０による被照明空間とされており、天井壁５２が照明装置４０が設置される照明装置設置壁とされている。
【００２９】
図３及び４に示すように、照明装置４０は、天井壁５２に埋め込まれる長尺の埋込みボックス２０、長尺のケース２２、長尺の光源部３０、長尺のカバー板１などを具備している。
【００３０】
埋込みボックス２０及びケース２２はそれぞれアルミニウム等の金属押出型材で形成されている。
【００３１】
埋込みボックス２０は、図４に示すように天井壁５２に埋込み状に設置された状態において下方に開口した横断面略コ字状のケース収容枠部２１を備えている。この枠部２１の内側にケース２２が収容されており、この状態でケース２２がボックス２０に連結部材（図示せず）を介して分離可能に連結されている。また、図３に示すように、埋込みボックス２０の長さ方向の両端にはそれぞれエンドプレート２８が固定状態に取り付けられている。
【００３２】
図４に示すように、ケース２２の下部には下方に開口した横断面略コ字状の光源部収容枠部２３が形成されている。この枠部２３の内側には、光源部３０、光源部３０が搭載された基板３２などが収容されている。
【００３３】
枠部２３の開口は、照明装置４０における光源部３０からの光が出射される光出射口２５とされるものであり、ケース２２の長さ方向（即ち光源部３０の長さ方向）に延びている。
【００３４】
基板３２は、図３及び４に示すように長尺なものであり、枠部２３の上壁部２３ａの下面に固定状態に設けられている。基板３２の下面からなる光源部３０搭載面３２ａには、例えば、可視光に対して高い反射率を有する塗料（図示せず）が塗工されたり可視光に対して高い反射率を有する金属（図示せず）が蒸着されたりすることにより、可視光に対する反射率を高めるための処理が施されていても良い。
【００３５】
光源部３０は、基板３２の搭載面３２ａにおける基板３２の幅方向の中間位置に、照明装置４０の長さ方向に一列に且つ一定間隔をおいて並んで多数の白色ＬＥＤ（例：ＬＥＤパッケージ）３１が配設されることによって長尺に形成されたものである（図３参照）。これにより、光源部３０の長寿命化、照明装置４０の小型化、省エネ化などを図ることができる。
【００３６】
光源部３０の光軸面Ｐは、図５に示すように、光源部３０の幅方向の中間位置において基板３２（詳述すると基板３２の搭載面３２ａ）の法線方向と光源部３０の長さ方向とに延びている。光源部３０から光（直接光）Ｌは光軸面Ｐに対して対称に基板３２（詳述すると基板３２の搭載面３２ａ）の法線方向側へ照明装置４０の光出射口２５を通って出射される。
【００３７】
さらに、照明装置４０が天井壁５２に埋込み状に設置された状態において、光源部３０の光軸面Ｐは照明装置４０の光出射口２５を通って鉛直下向きになるように即ち側壁面５１ａと平行で下向きになるように配置される（図１参照）。
【００３８】
図４に示すように、ケース２２の上部の内側には光源部３０用電源（ＬＥＤ用電源）２９が配置されている。電源２９はケース２２の上壁部２２ａの下面に固定状態に設けられている。電源２９には外部から導入された給電コード（図示せず）が接続されており、また光源部３０は電源２９と電気的に接続されている。
【００３９】
カバー板１は、光源部３０を汚れや塵などから保護する役割を有するとともに、更に、光源部３０からの光Ｌの配光を所定の配光に変換する光学レンズ板としての役割も有するものである。
【００４０】
カバー板１の構成について以下に詳述する。
【００４１】
カバー板１は透光性を有する樹脂（例：アクリル樹脂）製のものであり、光源部３０からの光Ｌが透過する長尺のカバー板本体部２を備えており、照明装置４０の光出射口２５にカバー板本体部２が光出射口２５を閉塞する態様にして設けられている。このようにカバー板１が設けられることにより、光源部３０から前方に離間した近傍位置において光源部３０がカバー板１でカバーされている。
【００４２】
ここで、カバー板本体部２の厚さ方向の両表面のうち光源部３０側に向いた表面（即ちカバー板本体部２の内面）を光源部３０からの光Ｌが入射するカバー板本体部２の光入射面３といい、他方の表面（即ちカバー板本体部２の外面）を光源部３０からの光Ｌが出射するカバー板本体部２の光出射面５という。
【００４３】
カバー板本体部２は、板状であり、光源部３０から前方に離間した近傍位置において光源部３０の長さ方向と平行に且つ光入射面３が光源部３０の光軸面Ｐに略直交するように照明装置４０の光出射口２５に配置されている。本実施形態では、カバー板本体部２が光出射口２５をその全体に亘って閉塞するように、カバー板１が光出射口２５の周縁部（詳述すると、光源部収容枠部２３の幅方向の両側壁部２３ｂ、２３ｂにおける光出射口２５側の端縁部内面）に着脱自在に取り付けられている。
【００４４】
すなわち、図５に示すように、カバー板本体部２の光入射面３におけるカバー板本体部２の幅方向の両側縁部にはそれぞれ弾性を有する係止爪部１１がカバー板本体部２の長さ方向に延びるように且つ光入射面３に対して起立状に一体に形成されている。そして、両係止爪部１１、１１が枠部２３の両側壁部２３ｂ、２３ｂの端縁部内面に係脱自在に係止されており、これによりカバー板１が上述したように光出射口２５の周縁部に着脱自在に取り付けられている。
【００４５】
カバー板本体部２の光入射面３にはカバー板本体部２の幅方向に並んだ横断面略三角形状の複数の突条部４がカバー板本体部２の長さ方向に延びるように形成されている。この突条部４は、主に、カバー板本体部２を透過してその光出射面５から出射する出射光Ｌ１についてカバー板本体部２の幅方向の両側（即ち光源部３０の幅方向の両側）への広がりを抑制するように出射光Ｌ１を屈折透過させて出射光Ｌ１を光軸面Ｐ近接側へ集光するためのものである。
【００４６】
カバー板本体部２の光出射面５は平坦状に形成されている。この光出射面５には、出射光Ｌ１が拡散光になるように光源部３０からの光Ｌを拡散透過させるフロスト状の拡散透過層１２が光出射面５の全体に亘って薄く形成されており、更に、拡散透過層１２はカバー板本体部２の幅方向の両側端面にもそれぞれ薄く形成されている。なお、カバー板１における拡散透過層１２以外の部分は無色透明である。
【００４７】
さらに、図４に示すように、照明装置４０が天井壁５２に埋込み状に設置された状態において、カバー板本体部２の光出射面５は天井壁面５２ａと面一になるように配置され、すなわち光出射面５は天井壁面５２ａと同一の高さ位置に配置される。
【００４８】
カバー板本体部２の光入射面３における光源部３０の光軸面Ｐとの交線位置Ｑよりもカバー板本体部２の幅方向の一方側にずれた位置には、無色透明のプリズム板部７がカバー板本体部２の長さ方向に延びるように且つ光入射面３に対して起立状に一体に形成されている。プリズム板部７は、図５に示すように、光源部３０からの光Ｌをカバー板本体部２の幅方向の他方側へ屈曲反射させるものである。
【００４９】
ここで、カバー板本体部２の幅方向の一方側及び他方側のうち一方側とは、側壁面５１ａから遠い側、即ち側壁面５１ａ遠隔側であり、他方側とは側壁面５１ａに近い側、即ち側壁面５１ａ近接側である。
【００５０】
本実施形態では、カバー板本体部２の光入射面３における光源部３０の光軸面Ｐとの交線位置Ｑは、カバー板本体部２の光入射面３の幅方向の中間位置である。プリズム板部７がカバー板本体部２の光入射面３に形成された位置は、この交線位置Ｑよりも側壁面５１ａから離れた位置であり、詳述すると、カバー板本体部２の幅方向における交線位置Ｑとカバー板本体部２の一方側（即ち側壁面５１ａ遠隔側）の側縁部との間の略中間位置である。
【００５１】
ここで、プリズム板部７の厚さ方向の両側面のうち光源部３０側に向いた側面を、光源部３０からの光Ｌ（詳述すると光源部３０からの直接光Ｌ）が入射するプリズム板部７の光入射面８という。
【００５２】
プリズム板部７の光入射面８には、光源部３０からの光Ｌをカバー板本体部２の幅方向の他方側（即ち側壁面５１ａ近接側）へ屈折反射させるための、プリズム板部７の起立方向に並んだ横断面略三角形状の複数の突条部９がカバー板本体部２の長さ方向に延びるように形成されている。これにより、プリズム板部７は上述したように光源部３０からの光Ｌをカバー板本体部２の幅方向の他方側（側壁面５１ａ近接側）へ屈曲反射させうるものとなされている。
【００５３】
カバー板１は、カバー板本体部２とプリズム板部７とが一体に押出成形されるとともにこの際に同時にカバー板本体部２と拡散透過層１２とが二色成形されることにより、形成されたものである。したがって、カバー板１を容易に製造することができる。    
【００５４】
本実施形態の照明装置４０では、図５に示すように、光源部３０からの光Ｌ（詳述すると光源部３０からの直接光Ｌ）はカバー板本体部２の光入射面３とプリズム板部７の光入射面８とにそれぞれ入射する。
【００５５】
カバー板本体部２の光入射面３に入射した光は、カバー板本体部２を屈折透過して光出射面５から出射する。この際、出射光Ｌ１は突条部４によってカバー板本体部２の幅方向の両側への広がりが抑制される。
【００５６】
プリズム板部７の光入射面８に入射した光は、その少なくとも一部がプリズム板部７によってカバー板本体部２の幅方向の他方側（側壁面５１ａ近接側）へ屈折反射されてカバー板本体部２の光入射面３に入射し、そして上記と同様にカバー板本体部２を屈折透過して光出射面５から出射する。さらに、光源部３０からの光Ｌのうち、もしカバー板本体部２の光入射面３にプリズム板部７が起立状に設けられていなければ光源部収容枠部２３の幅方向の両側壁部２３ｂ、３２ｂのうち側壁面５１ａ遠隔側の側壁部２３ｂの内面に照射されてカバー板本体部２の光入射面３に入射されることのない光Ｌ０についても、プリズム板部７によってカバー板本体部２の幅方向の他方側（側壁面５１ａ近接側）へ屈折反射されてカバー板本体部２の光入射面３に入射する。
【００５７】
したがって、カバー板本体部２の光出射面５からの出射光Ｌ１についてカバー板本体部２の幅方向における光の強さの最大位置は、光源部３０の光軸面Ｐの位置ではなく光軸面Ｐから側壁面５１ａ近接側にずれた位置にある。このように、カバー板１を具備した照明装置４０は、光源部３０の光軸面Ｐに対して非対称な配光特性を有している。
【００５８】
さらに、カバー板本体部２の光出射面５からの出射光Ｌ１は、その少なくとも一部が側壁面５１ａに照射されその反射光が照明として利用される。したがって、この照明装置４０によれば間接照明（半間接照明を含む）を実現することができる。
【００５９】
さらに、照明装置４０は、カバー板１のカバー板本体部２の光出射面５が天井壁面５２ａと面一になるように天井壁５２に埋込み状に設置されるので、照明装置４０が天井壁５２に設置された状態で天井壁面５２ａが平坦状になる。そのため、天井壁面５２ａに照明装置４０を隠すための折り上げ部や幕板部などを必ずしも設けることを要しない。したがって、天井壁面５２ａについてすっきりとした感じを人に与えることができる。
【００６０】
さらに、カバー板本体部２の光出射面５に拡散透過層１２が形成されているので、照明ムラを抑制して出射光Ｌ１の均一化を図り得るし、ＬＥＤのつぶつぶ感やマルチシャドウを抑制・低減することができる。
【００６１】
以上で本発明の一実施形態について説明したが、本発明は上記実施形態に限定されるものではなく本発明の要旨を逸脱しない範囲で様々に変更可能である。
【００６２】
また、上記実施形態では、照明装置４０は被照面Ｓが側壁面５１ａであって天井壁５２における側壁面５１ａから離間した位置に設置されるものであるが、本発明ではその他に例えば被照面Ｓが側壁面５１ａであって床壁５３における側壁面５１ａから離間した位置に設置されるものであっても良い。この場合、照明装置４０はカバー板１のカバー板本体部２の光出射面５が床壁面５３ａと略面一になるように床壁５３に埋込み状に設置されることが望ましい。
【００６３】
また、本発明では被照面Ｓが通路５０の側壁面５１ａであることに限定されるものではなく、その他に例えば天井壁面５２ａや床壁面５３ａであっても良い。被照面Ｓが天井壁面５２ａである場合、照明装置４０は例えば側壁５１における天井壁面５２ａから離間した上部位置に設置され、また被照面Ｓが床壁面５３ａである場合、照明装置４０は例えば側壁５１における床壁面５３ａから離間した下部位置に設置される。
【産業上の利用可能性】
【００６４】
本発明は、光源部の光軸面に対して非対称な配光特性を有する照明装置に利用可能である。
【符号の説明】
【００６５】
１：カバー板
２：カバー板本体部
３：カバー板本体部の光入射面
４：突条部
５：カバー板本体部の光出射面
７：プリズム板部
１２：拡散透過層
３０：光源部
４０：照明装置
５１ａ：側壁面
Ｌ：光源部からの光
Ｌ１：出射光
Ｓ：被照面
【図１】
2019129082.tif 000003
【図２】
2019129082.tif 000004
【図３】
2019129082.tif 000005
【図４】
2019129082.tif 000006
【図５】
2019129082.tif 000007